(57)【要約】【課題】緊急放送の他、ユーザが設定した状態になった時に、データ送信装置自身のＯＳＤデータを、画像表示装置側で強制表示をさせることを可能にする。【解決手段】データ送信装置（放送受信装置３で例示）は、ＯＳＤデータを生成するＯＳＤデータ生成部３８と、生成したＯＳＤデータを画像表示装置１に送信する手段と、画像表示装置１におけるＯＳＤ表示に対する表示優先度を設定するＯＳＤ表示優先度設定部３７とを備え、ＯＳＤデータ生成部３８は、設定部３７で表示優先度が設定された場合、その表示優先度の情報を含むようにＯＳＤデータを生成する手段を有する。画像表示装置１は、放送受信装置３から受信したＯＳＤデータの表示優先度を判定するＯＳＤ表示優先度判定部２１を備え、ＯＳＤデータ表示部１９は、判定部２１での判定結果に基づき、受信したＯＳＤデータのうち所定の表示優先度をもつものを強制的に画面表示部１４に強制表示させる。【選択図】図１
2007129599.tif 000002
【特許請求の範囲】
【請求項１】
ＯＳＤ表示機能をもった画像表示装置に接続可能なデータ送信装置であって、ＯＳＤデータを生成するＯＳＤデータ生成手段と、前記ＯＳＤデータ生成手段で生成したＯＳＤデータを前記画像表示装置に送信するＯＳＤデータ送信手段と、前記画像表示装置におけるＯＳＤ表示に対する表示優先度を設定する優先度設定手段とを備え、前記ＯＳＤデータ生成手段は、前記優先度設定手段で表示優先度が設定された場合、該表示優先度の情報を含むようにＯＳＤデータを生成する手段を有することを特徴とするデータ送信装置。
【請求項２】
放送受信手段を備え、前記優先度設定手段は、前記放送受信手段で緊急情報を受信した場合に、一番高い表示優先度に設定することを特徴とする請求項１に記載のデータ送信装置。
【請求項３】
前記画像表示手段で強制的に表示する強制表示事項に関するユーザ設定を記憶するユーザ設定記憶手段を備え、前記優先度設定手段は、前記ユーザ設定記憶手段で記憶されたユーザ設定に基づいて前記表示優先度を設定することを特徴とする請求項１又は２に記載のデータ送信装置。
【請求項４】
前記ユーザ設定記憶手段に記憶させるユーザ設定を、前記画像表示装置から受信するユーザ設定受信手段を備えたことを特徴とする請求項３に記載のデータ送信装置。
【請求項５】
前記ユーザ設定は、前記強制表示事項を表示する時間に関する時間情報を含み、前記優先度設定手段は、前記ユーザ設定記憶手段で記憶された時間情報が示す時刻の到来に合わせて前記表示優先度を設定することを特徴とする請求項３又は４に記載のデータ送信装置。
【請求項６】
前記ＯＳＤデータ生成手段は、前記優先度設定手段で表示優先度が設定された場合、ユーザに所定の操作を促すＯＳＤデータを生成する手段を有することを特徴とする請求項１乃至５のいずれか１項に記載のデータ送信装置。
【請求項７】
前記ＯＳＤデータ送信手段は、当該データ送信装置が前記画像表示装置との接続を確立していない場合、前記優先度設定手段で設定された表示優先度に応じて、前記接続の確立を行う手段を備えたことを特徴とする請求項１乃至６のいずれか１項に記載のデータ送信装置。
【請求項８】
画像を表示する画像表示手段と、該画像表示手段に映像データを表示する映像データ表示手段と、前記画像表示手段にＯＳＤデータを表示させるＯＳＤデータ表示手段とを備え、データ送信装置に接続可能な画像表示装置であって、前記データ送信装置からＯＳＤデータを受信するＯＳＤデータ受信手段と、前記ＯＳＤデータ受信手段で受信したＯＳＤデータの表示優先度を判定する優先度判定手段とを備え、前記ＯＳＤデータ表示手段は、前記優先度判定手段での判定結果に基づき、前記ＯＳＤデータ受信手段で受信したＯＳＤデータのうち所定の表示優先度をもつものを強制的に前記画像表示手段に表示させる強制表示手段を有することを特徴とする画像表示装置。
【請求項９】
前記ＯＳＤデータ受信手段で受信したＯＳＤデータを表示するか否かの設定を行うＯＳＤ表示設定手段を備え、前記強制表示手段は、前記ＯＳＤデータ受信手段で受信したＯＳＤデータが前記所定の表示優先度をもつものであった場合に、前記ＯＳＤ表示設定手段の設定に拘わらず、強制的に前記画像表示手段に表示することを特徴とする請求項８に記載の画像表示装置。
【請求項１０】
請求項１乃至７のいずれか１項に記載のデータ送信装置と、請求項８又は９に記載の画像表示装置とを接続してなるＯＳＤデータ表示システム。
【請求項１１】
請求項１乃至７のいずれか１項に記載のデータ送信装置に組み込み、前記ＯＳＤデータ作成手段及び前記優先度設定手段として、前記データ送信装置の演算処理装置を機能させるためのプログラム。
【請求項１２】
請求項８又は９に記載の画像表示装置に組み込み、前記優先度判定手段及び前記強制表示手段として、前記画像表示装置の演算処理装置を機能させるためのプログラム。
【発明の詳細な説明】
【技術分野】
【０００１】
本発明は、データ送信装置、画像表示装置、ＯＳＤデータ表示システム、及びプログラムに関し、より詳細には、緊急放送等のＯＳＤデータを画像表示装置側に送信するデータ送信装置、そのＯＳＤデータを表示する画像表示装置、それらの装置を備えたＯＳＤデータ表示システム、及びそれらの装置に組み込まれるプログラムに関する。
【背景技術】
【０００２】
従来の緊急放送送信装置と緊急放送受信装置で構成された緊急放送システムは、地震や津波や火災等の警告内容を緊急放送データとして緊急放送送信装置を備えた送信局から地上波やケーブル回線や放送衛星を利用して受信者全てに向けて一斉同報に送信する（例えば、特許文献１を参照）。そして、一斉同報に送信された緊急放送データは、緊急放送データを受信できる全ての受信者の緊急放送受信装置で受信され、自動的にその緊急放送の内容を受信者に知らせるための映像信号及び音声信号に変換してテレビジョン（ＴＶ）受像機に出力している。このとき、緊急放送受信装置にはＴＶ受像機の電源コードを接続する電源コンセントがあり、この電源コンセントには緊急放送を受信すると自動的に電源が与えられる。従って、この電源コンセントに電源スイッチを入れた状態のＴＶ受像機の電源コードを接続しておけば、緊急放送受信時には自動的にＴＶ受像機を動作させることができるので、ＴＶを視聴してない深夜等に緊急放送が届いても、受信者に緊急放送を知らせることができる。
【０００３】
また、特許文献２及び３には、緊急放送待機時の省電力化を図ったＣＡＴＶ用放送受信装置が開示されている。これらの受信装置は、受信装置に内蔵された警報ブザーでの告知や、ＯＳＤ（オンスクリーンディスプレイ）により緊急事態を視聴画面に表示することを想定しているが、表示装置側の電源のＯＮ／ＯＦＦを考慮したものではない。さらにこれらの受信装置は、緊急放送情報を伝送するチャンネル（第２の放送周波数）と緊急放送が発生していることを示すチャンネル（第１の放送周波数）とがＣＡＴＶ局側に用意されていることを前提としている。
【０００４】
また、特許文献４には、ＴＶ放送受信装置からの制御信号を表示装置が受信不可能な主電源ＯＦＦの状態に設定されていても、緊急放送の際には表示装置を起動し緊急放送を確実に視聴者に通知可能とする技術が開示されている。この技術では、緊急放送の受信機能を備えたＴＶ放送受信装置に、ＩＲ送信機等を介して表示装置を制御するための制御手段と、表示装置へ電力を供給する電力供給手段と、緊急放送受信の際に、表示装置への電力供給を一旦停止し、予め定められた一定中断時間経過後に、電力供給を再開させる電力供給中断手段とからなる電力供給装置とを備える。そして、表示装置に、電力供給中断手段の動作に基づいて、一旦停止された前記電力供給手段からの電力供給が中断された後、予め定められた前記一定中断時間経過後に電力供給が再開されたことを検知する再開検知手段と、再開検知手段により電力供給の再開が検知された際に、制御手段からの制御信号を受信することが可能な待機状態へ移行する待機移行手段とを備える。
【特許文献１】特開平７−３３６６６２号公報
【特許文献２】特開２００１−１８６４９３号公報
【特許文献３】特開２００２−７７８４７号公報
【特許文献４】特開２００４−２３５９１号公報
【発明の開示】
【発明が解決しようとする課題】
【０００５】
上述のごとく従来の緊急放送システムでは、緊急放送受信装置にはテレビジョン受像機等の表示装置の電源コードを接続する電源コンセントが備えられ表示装置側の電源をコントロール可能となっているか、或いは表示装置側の電源のＯＮ／ＯＦＦを考慮したものではない。
【０００６】
実際、米国などのＣＡＴＶ放送システムでは、ＣＡＴＶ受信装置（ＣＡＴＶのＳＴＢ（Ｓｅｔ  Ｔｏｐ  Ｂｏｘ））側は基本的に電源が待機状態又はＯＮ状態で設置されており、そのＳＴＢに接続されたＴＶ受像機等の表示装置も電源が待機状態又はＯＮ状態で設置されていることが多い。しかしながら、緊急放送受信装置には表示装置用の電源コンセントが備えられていない場合や、電源コンセントを差し込めないような離間した位置に受信装置と表示装置とを設置することもある。そのような場合、表示装置が待機状態の場合には、緊急放送を表示装置で表示することができなくなってしまう。ここで、待機状態とは、主電源はＯＮであるが省電力のため待機した状態を指し、リモートコントロール装置（リモコン装置）で電源をＯＮする制御が可能な状態を指す。
【０００７】
さらに、従来の緊急放送システムでは、ＯＳＤを表示装置側に表示する際に、表示装置自身のＯＳＤ表示設定について考慮されたものではない。すなわち、従来のシステムでは、表示装置が待機状態やＯＮ状態になっていたとしても、表示装置のＯＳＤ表示設定が緊急放送受信装置のＯＳＤを表示しない設定になっていた場合には、緊急放送を受信装置側で受け取ったとしても、表示装置でそのＯＳＤデータを表示することが不可能になる。
【０００８】
このように、例えばＣＡＴＶのＳＴＢなどのＯＳＤ画面をネットワーク経由でデジタルＴＶ等の表示装置に表示するシステムにおいて、ユーザが表示装置側で表示設定をＯＦＦにしている場合、ＯＳＤが表示されずに必要な情報を見落としてしまう可能性がある。特に、現状では、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４でＯＳＤを送信する場合、そのＯＳＤデータを表示するか否かは表示装置側の依存になっており、また電源が待機状態の場合にはデータ受信すら行なわれず、喩え緊急性を要する情報であっても、表示されない可能性がある。
【０００９】
本発明は、上述のごとき実情に鑑みてなされたものであり、緊急放送の他、ユーザが設定した状態になった時に、自身のＯＳＤデータを画像表示装置側で強制表示をさせることが可能なデータ送信装置、そのＯＳＤデータを受信して表示する画像表示装置、それらの装置を備えたＯＳＤデータ表示システム、及び、それらの装置に組み込まれるプログラムを提供することをその目的とする。
【課題を解決するための手段】
【００１０】
上述の課題を解決するために、本発明の第１の技術手段は、ＯＳＤ表示機能をもった画像表示装置に接続可能なデータ送信装置であって、ＯＳＤデータを生成するＯＳＤデータ生成手段と、前記ＯＳＤデータ生成手段で生成したＯＳＤデータを前記画像表示装置に送信するＯＳＤデータ送信手段と、前記画像表示装置におけるＯＳＤ表示に対する表示優先度を設定する優先度設定手段とを備え、前記ＯＳＤデータ生成手段は、前記優先度設定手段で表示優先度が設定された場合、該表示優先度の情報を含むようにＯＳＤデータを生成する手段を有することを特徴としたものである。
【００１１】
第２の技術手段は、第１の技術手段において、放送受信手段を備え、前記優先度設定手段は、前記放送受信手段で緊急情報を受信した場合に、一番高い表示優先度に設定することを特徴としたものである。
【００１２】
第３の技術手段は、第１又は第２の技術手段において、前記画像表示手段で強制的に表示する強制表示事項に関するユーザ設定を記憶するユーザ設定記憶手段を備え、前記優先度設定手段は、前記ユーザ設定記憶手段で記憶されたユーザ設定に基づいて前記表示優先度を設定することを特徴としたものである。
【００１３】
第４の技術手段は、第３の技術手段において、前記ユーザ設定記憶手段に記憶させるユーザ設定を、前記画像表示装置から受信するユーザ設定受信手段を備えたことを特徴としたものである。
【００１４】
第５の技術手段は、第３又は第４の技術手段において、前記ユーザ設定は、前記強制表示事項を表示する時間に関する時間情報を含み、前記優先度設定手段は、前記ユーザ設定記憶手段で記憶された時間情報が示す時刻の到来に合わせて前記表示優先度を設定することを特徴としたものである。
【００１５】
第６の技術手段は、第１乃至第５のいずれかの技術手段において、前記ＯＳＤデータ生成手段は、前記優先度設定手段で表示優先度が設定された場合、ユーザに所定の操作を促すＯＳＤデータを生成する手段を有することを特徴としたものである。
【００１６】
第７の技術手段は、第１乃至第６のいずれかの技術手段において、前記ＯＳＤデータ送信手段は、当該データ送信装置が前記画像表示装置との接続を確立していない場合、前記優先度設定手段で設定された表示優先度に応じて、前記接続の確立を行う手段を備えたことを特徴としたものである。
【００１７】
第８の技術手段は、画像を表示する画像表示手段と、該画像表示手段に映像データを表示する映像データ表示手段と、前記画像表示手段にＯＳＤデータを表示させるＯＳＤデータ表示手段とを備え、データ送信装置に接続可能な画像表示装置であって、前記データ送信装置からＯＳＤデータを受信するＯＳＤデータ受信手段と、前記ＯＳＤデータ受信手段で受信したＯＳＤデータの表示優先度を判定する優先度判定手段とを備え、前記ＯＳＤデータ表示手段は、前記優先度判定手段での判定結果に基づき、前記ＯＳＤデータ受信手段で受信したＯＳＤデータのうち所定の表示優先度をもつものを強制的に前記画像表示手段に表示させる強制表示手段を有することを特徴としたものである。
【００１８】
第９の技術手段は、第８の技術手段において、前記ＯＳＤデータ受信手段で受信したＯＳＤデータを表示するか否かの設定を行うＯＳＤ表示設定手段を備え、前記強制表示手段は、前記ＯＳＤデータ受信手段で受信したＯＳＤデータが前記所定の表示優先度をもつものであった場合に、前記ＯＳＤ表示設定手段の設定に拘わらず、強制的に前記画像表示手段に表示することを特徴としたものである。
【００１９】
第１０の技術手段は、第１乃至第７のいずれかの技術手段におけるデータ送信装置と、第８又は第９の技術手段における画像表示装置とを接続してなるＯＳＤデータ表示システムである。
【００２０】
第１１の技術手段は、第１乃至第７のいずれかの技術手段におけるデータ送信装置に組み込み、前記ＯＳＤデータ作成手段及び前記優先度設定手段として、前記データ送信装置の演算処理装置を機能させるためのプログラムである。
【００２１】
第１２の技術手段は、第８又は第９における画像表示装置に組み込み、前記優先度判定手段及び前記強制表示手段として、前記画像表示装置の演算処理装置を機能させるためのプログラムである。
【発明の効果】
【００２２】
本発明によれば、緊急放送の他、ユーザが設定した状態になった時に、データ送信装置自身のＯＳＤデータを、画像表示装置側で強制表示をさせることを可能にする。
【発明を実施するための最良の形態】
【００２３】
本発明に係るＯＳＤデータ表示システム（以下、本システムという）は、データ送信装置と画像表示装置とが有線／無線を問わず接続可能となっており、データ送信装置側で発生した緊急情報やユーザ設定事項などのＯＳＤデータを、画像表示装置のＯＳＤ表示設定に係わらず、画像表示装置で強制的に表示させるシステムである。以下、本システムについて説明を行いながら、本発明に係るデータ送信装置及び本発明に係る画像表示装置について説明する。
【００２４】
本発明に係るデータ送信装置は、少なくともＯＳＤデータ生成手段、ＯＳＤデータ送信手段、及び優先度設定手段を備えるものとする。また、本発明に係るデータ送信装置は、少なくともＯＳＤ表示機能をもった画像表示装置に何らかの通信手段で接続可能なデータ送信装置であり、放送等を受信して画像表示装置に転送する機能を具備した形態の場合、データ転送装置であるとも言える。
【００２５】
ＯＳＤデータ生成手段は、ＯＳＤデータを生成する手段である。また、優先度設定手段は、画像表示装置におけるＯＳＤ表示に対する表示優先度を設定する手段である。この表示優先度が高い場合には、画像表示装置において設定されているＯＳＤ表示設定に拘わらずＯＳＤデータを画面に表示するようにするためのものである。そして、ＯＳＤデータ送信手段は、ＯＳＤデータ生成手段で生成したＯＳＤデータを画像表示装置に送信する手段である。さらに、ＯＳＤデータ生成手段は、優先度設定手段で表示優先度が設定された場合、その表示優先度の情報を含むようにＯＳＤデータを生成する手段を有するものとする。
【００２６】
また、このデータ送信装置は、ＯＳＤデータ作成手段、優先度設定手段として、データ送信装置に具備された演算処理装置（ＣＰＵ等）を機能させるためのプログラムを、装置内に組み込み、ＯＳＤデータ送信を実行するようにすることでも実現できる。このようなプログラムは、例えば、ＲＯＭに格納され、ＲＡＭに読み出してＣＰＵで実行することにより、ＯＳＤデータ作成手段及び優先度設定手段として機能させることができる。また、ＯＳＤデータ作成手段及び優先度設定手段だけでなく、データ送信装置内の他の各手段も必要なネットワーク機器や表示デバイス等のハードウェアと協働して実行可能なプログラムとして実装できる。以下、このデータ送信装置として、放送受信装置を例示して以下に説明するが、放送受信機能を備える装置に限ったものではない。
【００２７】
本発明に係る画像表示装置は、少なくとも画像を表示する画像表示手段と、その画像表示手段に映像データを表示する映像データ表示手段と、画像表示手段にＯＳＤデータを表示させるＯＳＤデータ表示手段とを備え、データ送信装置に何らかの通信手段で接続可能なものとする。本発明に係る画像表示装置は、この通信手段として少なくともＯＳＤデータ受信手段を備え、さらに優先度判定手段を少なくとも備えるものとする。
【００２８】
ＯＳＤデータ受信手段は、データ送信装置からＯＳＤデータを受信する手段である。優先度判定手段は、ＯＳＤデータ受信手段で受信したＯＳＤデータの表示優先度を判定する手段である。そして、ＯＳＤデータ表示手段は、優先度判定手段での判定結果に基づき、ＯＳＤデータ受信手段で受信したＯＳＤデータのうち所定の表示優先度をもつものを強制的に画像表示手段に表示させる強制表示手段を有するものとする。このように、画像表示装置では、受信したＯＳＤデータに含まれる表示優先度の情報を解釈してその表示優先度に応じた処理をＯＳＤデータ表示手段で実行することとなる。なお、ＯＳＤデータ受信手段で受信するＯＳＤデータには上述の表示優先度の有無は問わず、例えば表示優先度の無いＯＳＤデータは強制表示を実行しなければよい。
【００２９】
また、本発明に係る画像表示装置は、ＯＳＤデータ受信手段で受信したＯＳＤデータを表示するか否かの設定を行うＯＳＤ表示設定手段を備えることで、本発明の効果がより得られ、好ましい。そのとき、強制表示手段は、ＯＳＤデータ受信手段で受信したＯＳＤデータが所定の表示優先度をもつものであった場合に、ＯＳＤ表示設定手段の設定に拘わらず、強制的に画像表示手段に表示する。また、所定の表示優先度をもたなかった場合でも、現在のＯＳＤ表示設定との比較を実行することとなるが、表示優先度を複数レベル設けておき、現在のＯＳＤ表示設定と送信されてきた表示優先度の情報とを比較して、比較結果に応じたＯＳＤデータの表示処理を実行すればよい。
【００３０】
また、上述した画像表示装置は、優先度判定手段、強制表示手段として、画像表示装置に具備された演算処理装置（ＣＰＵ等）を機能させるためのプログラムを、装置内に組み込み、ＯＳＤ表示を実行するようにすることでも実現できる。このようなプログラムは、例えば、ＲＯＭに格納され、ＲＡＭに読み出してＣＰＵで実行することにより、優先度判定手段及び強制表示手段として機能させることができる。また、優先度判定手段及び強制表示手段だけでなく、データ送信装置内の他の各手段も必要なネットワーク機器や表示デバイス等のハードウェアと協働して実行可能なプログラムとして実装できる。
【００３１】
図１は、本発明の一実施形態に係るＯＳＤデータ表示システムの一構成例を示すブロック図、図２は、図１のＯＳＤデータ表示システムが状態Ａである場合の概要を説明するための図、図３は、図１及び図２のシステムで用いられるＯＳＤデータの一例を示す図である。また、図４乃至図９は、それぞれ、図１のＯＳＤデータ表示システムが状態Ｂ〜Ｇである場合の概要を説明するための図である。
【００３２】
図１乃至図９において、１はＴＶや表示モニタ等の画像表示装置、２はリモコン装置、３はデータ送信装置の一例としての放送受信装置、４はＯＳＤデータ、１０はＯＳＤ表示、１４は画面表示部、４０は情報部、４１はデータ部、４２はフラグである。
【００３３】
図１で例示する画像表示装置１は、映像データ生成部１１、映像データ表示部１２、映像データ蓄積部１３、画面表示部１４、表示データ結合部１５、データ分離部１６、通信制御部１７、ネットワークインターフェース（ネットワークＩ／Ｆ）１８、ＯＳＤデータ表示部１９、ＯＳＤデータ蓄積部２０、ＯＳＤ表示優先度判定部２１、ＯＳＤデータ生成部（ＯＳＤデータ作成部）２２、ユーザ操作判定部２３、ＯＳＤ表示設定記憶部２４、ＯＳＤ表示設定部２５、及びユーザＩ／Ｆ２６を備える。
【００３４】
通信制御部１７はネットワークＩ／Ｆ１８を介した放送受信装置３との通信を制御する部位で、ネットワークＩ／Ｆ１８は放送受信装置３側のネットワークＩ／Ｆ３４との通信を行うためのインターフェースである。通信制御部１７及びネットワークＩ／Ｆ１８は、上述のＯＳＤデータ受信手段を含む通信手段の一例である。
【００３５】
データ分離部１６は、通信制御部１７の通信制御により放送受信装置３から送信されてきたデータを、映像データとＯＳＤデータとに分離する。映像データ蓄積部１３は、データ分離部１６で分離された映像データを一時的に蓄積（バッファリング）する。映像データ生成部１１は、映像データ蓄積部１３で蓄積された映像データ（例えばＭＰＥＧ２データ）を時系列に表示可能な映像データへと変換する。映像データ表示部１２は、映像データ生成部１１で時系列に生成した映像データに対し、各種映像処理を施してＲＧＢデータに変換する。映像データ生成部１１、映像データ表示部１２、映像データ蓄積部１３、表示データ結合部１５、及びデータ分離部１６は、上述の映像データ表示手段の一例である。なお、画像表示装置１は、図示しない音声データに対する処理を実行する部位等も実際には備えられることとなる。
【００３６】
ＯＳＤデータ蓄積部２０は、データ分離部１６で分離されたＯＳＤデータを一時的に蓄積する。ＯＳＤデータ生成部２２は、ＯＳＤデータ蓄積部２０で蓄積されたＯＳＤデータから表示可能な画像データを生成する。
【００３７】
ＯＳＤ表示優先度判定部２１は、データ分離部１６で分離されたＯＳＤデータ、ＯＳＤデータ蓄積部２０で蓄積されたＯＳＤデータ、或いはＯＳＤデータ生成部２２で生成された画像データのいずれかに付随した表示優先度の情報から、ＯＳＤ表示優先度を判定する。ＯＳＤ表示優先度判定部２１及びＯＳＤ表示設定記憶部２４は、上述の優先度判定手段及びその判定結果に基づきＯＳＤデータをＯＳＤデータ表示部１９に伝送する上述の強制表示手段に相当する部位である。
【００３８】
ユーザＩ／Ｆ２６は、リモコン装置２や画像表示装置１の本体に設けられたユーザ操作部であり、画像表示装置１だけでなく、放送受信装置３から受信したＯＳＤデータに基づき放送受信装置３に対する各種設定も実行可能とする。ユーザ操作判定部２３は、ユーザＩ／Ｆ２６で入力された操作内容が画像表示装置１自身のものか、放送受信装置３に対するものかを判定し、前者の場合にはＯＳＤ表示設定部２５へ操作コマンドを伝送し、後者の場合には通信制御部１７等を介して放送受信装置３へ操作コマンドを伝送する。ＯＳＤ表示設定部２５は、画像表示装置１自身のＯＳＤ表示に関する設定（表示優先度の閾値の設定も含んでよい）を行い、その設定はＯＳＤ表示設定記憶部２４に記憶させる。ＯＳＤ表示設定記憶部２４で記憶された設定内容に基づき、ＯＳＤ表示優先度判定部２１は、ＯＳＤ表示優先度の判定を実行することとなる。
【００３９】
ＯＳＤデータ表示部１９は、ＯＳＤ表示優先度判定部２１での判定結果に基づき、ＯＳＤデータの表示を行う場合に、データ分離部１６で分離されたＯＳＤデータ、ＯＳＤデータ蓄積部２０で蓄積されたＯＳＤデータ、或いはＯＳＤデータ生成部２２で生成された画像データのいずれかのデータを、画面表示部１４で表示可能なＲＧＢデータ等のデータに変換する。
【００４０】
表示データ結合部１５は、映像データ表示部１２からの映像データと、ＯＳＤデータ表示部１９からの映像データとを重畳することで適宜結合する。画面表示部１４は、液晶パネルやプラズマディスプレイパネル等の各種表示装置でなり、表示データ結合部１５で結合した最終的な画像データを表示する。画面表示部１４は、上述の画像表示手段の一例である。
【００４１】
ＯＳＤデータ表示部１９、ＯＳＤデータ蓄積部２０、ＯＳＤデータ生成部２２、表示データ結合部１５、及びデータ分離部１６は、上述のＯＳＤデータ表示手段（上述の強制表示手段を除く）の一例である。また、ＯＳＤ表示優先度判定部２１、ユーザ操作判定部２３、ＯＳＤ表示設定記憶部２４、及びＯＳＤ表示設定部２５は、上述の優先度判定手段の一例である。また、ユーザ操作判定部２３、ＯＳＤ表示設定記憶部２４、ＯＳＤ表示設定部２５、及びユーザＩ／Ｆ２６は、上述のＯＳＤ表示設定手段の一例である。
【００４２】
一方、図１で例示する放送受信装置３は、ユーザ操作判定部３１、ユーザ設定記憶部３２、受信データ分離部３３、ネットワークＩ／Ｆ３４、通信制御部３５、送信データ結合部３６、ＯＳＤ表示優先度設定部３７、ＯＳＤデータ生成部（ＯＳＤデータ作成部）３８、及び放送受信部３９を備える。
【００４３】
通信制御部３５はネットワークＩ／Ｆ３４を介した画像表示装置１との通信を制御する部位で、ネットワークＩ／Ｆ３４は画像表示装置１側のネットワークＩ／Ｆ１８との通信を行うためのインターフェースである。通信制御部３５及びネットワークＩ／Ｆ３４は、上述のＯＳＤデータ送信手段を含む通信手段の一例である。
【００４４】
受信データ分離部３３は、通信制御部３５の通信制御により画像表示装置１から送信されてきたデータを、ユーザ操作のデータと例えば映像データとに分離する。ユーザ操作判定部３１は、受信データ分離部３３で分離されたユーザ操作のデータ（コマンド）が、ユーザ設定記憶部３２に記憶すべきＯＳＤ強制表示に関するデータであるのか、その他のＯＳＤデータに対する各種設定処理（録画処理等）に関するデータであるのかを判定し、前者であった場合のみ、ユーザ設定記憶部３２に記憶させる。
【００４５】
ユーザ設定記憶部３２は、画像表示装置１からのユーザ操作（或いは放送受信装置３でのユーザ操作）に基づき、画面表示部１４で強制的に表示する強制表示事項に関するユーザ設定を記憶する。ユーザ設定記憶部３２で記憶されるユーザ設定としては、例えば、或る特定の条件を満たした場合に通知して欲しいといった要望などが該当する。そのようなユーザ設定をユーザ設定記憶部３２に記憶させておくことで、その条件を満たした場合に、ＯＳＤ表示優先度設定部３７にその情報を伝送し、通知内容と表示優先度とからＯＳＤデータ生成部３８でＯＳＤデータを作成することとなる。
【００４６】
上述した各実施形態に係る放送受信装置３で例示したデータ送信装置は、このように強制表示事項を記憶するユーザ設定記憶手段を備えることが好ましい。この実施形態の場合、上述の優先度設定手段は、ユーザ設定記憶手段で記憶されたユーザ設定に基づいて表示優先度を設定する。例えば、録画用のキーワード（ジャンルや人名等）を指定し、その指定に合致した番組がＥＰＧデータで送信されてきた場合などに、ユーザに録画するか否かを問うようなＯＳＤ表示（ＥＰＧそのものの表示でもよい）を行うなどが挙げられる。
【００４７】
ユーザ操作判定部３１及びユーザ設定記憶部３２は、上述のユーザ設定記憶手段の一例であると言える。また、上述のように、ユーザ設定記憶手段に記憶させるユーザ設定を、画像表示装置１から受信するユーザ設定受信手段を備えることが好ましい。ネットワークＩ／Ｆ３４、通信制御部３５、及び受信データ分離部３３は、上述のユーザ設定受信手段の一例である。
【００４８】
さらに、ユーザ設定記憶手段を備えた実施形態において、ユーザ設定は、強制表示事項を表示する時間（日時）に関する時間情報を含むようにすることが好ましい。このような実施形態の場合、優先度設定手段は、ユーザ設定記憶手段で記憶された時間情報が示す時刻の到来に合わせて表示優先度を設定するようにしておくとよい。この実施形態では、例えば、録画予約が開始した場合にユーザ通知するように強制表示事項を設定しておくなどすることで、予約開始と共にその旨が画面表示部１４でユーザ通知できる。
【００４９】
放送受信部３９は、放送を受信する部位であり、アンテナやチューナや復調回路等からなる。このように、本発明に係るデータ送信装置は、上述の各実施形態において放送受信手段を備えることが好ましい。このような実施形態の場合、優先度設定手段は、放送受信手段で緊急情報（緊急のデータ放送等）を受信した場合に、一番高い表示優先度に設定するようにすればよい。緊急情報は、例えば同時に或る周波数帯の複数チャンネルを受信可能となっていた場合、その複数チャンネルのいずれかから受信でき、他のチャンネルを視聴していた場合でも緊急情報の放送を見つけることができる。そして、緊急情報があればＯＳＤデータに一番高い表示優先度のフラグを埋め込むなどして、「緊急情報を放送しているチャンネルに切り換えてください」といった文字表示を行うＯＳＤデータを作成して、画像表示装置１に送信し画面表示部１４にその文字表示を行わせる。なお、放送受信部３９で受信した映像表示用の画像データや音声出力用の音声データも、ユーザ操作に基づき画像表示装置１側に伝送される。
【００５０】
ＯＳＤ表示優先度設定部３７は、ＯＳＤデータを生成する際に用いる表示優先度を設定する部位であり、例えばユーザ設定記憶部３２に記憶された事項や緊急放送受信に基づくＯＳＤデータの生成の際に設定がなされる。ＯＳＤデータ生成部３８は、ＯＳＤ表示優先度設定部３７で設定された表示優先度、並びにＯＳＤ表示の画像データ等からＯＳＤデータを生成する。
【００５１】
このＯＳＤ表示の画像データとしては、ユーザ設定記憶部３２に記憶されたユーザ通知事項を表示する画像データや、緊急放送のチャンネル番号を示唆する画像データや、緊急放送の内容そのもので表示されている画像データなどが該当する。このように、上述の各実施形態におけるＯＳＤデータ生成手段は、優先度設定手段で表示優先度が設定された場合、ユーザに所定の操作を促すＯＳＤデータを生成する手段を有することが好ましい。ユーザに所定の操作を促すＯＳＤデータとは、次にユーザが何をすればよいかをＯＳＤ表示するためのデータであり、例えばユーザが操作可能なボタン情報を表示するようにしても良い。ＯＳＤデータ生成部３８は、上述のＯＳＤデータ生成手段の一例であり、ＯＳＤ表示優先度設定部３７は、上述の優先度設定手段の一例である。
【００５２】
図３で例示したように、一般的なＯＳＤデータ４のストリームは、ヘッダ情報、ベンダユニークで定義できるフィールド、及びデータ長などでなる情報部４０と、実際のＯＳＤ表示データ（画像のメタデータ）が並んだデータ部４１とでなる。表示優先度の情報としては、ＯＳＤデータ４において、例えば情報部４０のいずれかに１又は数ｂｉｔ分のフラグ４２として埋め込んでもよいし、上述のフィールドにフラグを埋め込んでもよい。また、表示優先度の情報としては、フラグでなくても情報部４０やデータ部４１にデータ列として埋め込んでも良い。また、表示優先度には単に強制的に表示させるかどうかの２段階だけではなく優先度のレベルがあっても良く、ユーザによる設定を可能としても良い。
【００５３】
送信データ結合部３６は、ＯＳＤデータ生成部３８で生成されたＯＳＤデータと、放送受信部３９で受信した映像データと（及び音声データ等）を結合する。送信データ結合部３６で結合された送信データは、通信制御部３５及びネットワークＩ／Ｆ３４を介して画像表示装置１に送信される。送信データ結合部３６は、通信制御部３５及びネットワークＩ／Ｆ３４と合わせ、上述のＯＳＤデータ送信手段の一例であるとも言える。
【００５４】
以下、図２、図４乃至図９を参照して、ＩＥＥＥ１３９４ネットワーク上に接続されたデジタルＴＶ等の画像表示装置１とＣＡＴＶのＳＴＢ等の放送受信装置３との間の接続例を挙げて説明する。ここでは、ＩＥＥＥ１３９４で接続された画像表示装置１と放送受信装置３とを挙げているが、接続されるネットワークはイーサネット（登録商標）であっても無線ネットワークであっても構わない。また、ここでは、画像表示装置１と放送受信装置３とが一対一に接続された例を挙げているが、一対多、多対一、或いは多対多であってもよい。例えば、放送受信装置３のＯＳＤデータを表示する画像表示装置１としては、ユーザが選択した特定の一台であっても良いし、ネットワーク上に存在する全ての画像表示装置１であっても良い。
【００５５】
いずれにしても、ネットワーク上に接続されている画像表示装置１に対して、周辺機器（データ送信装置）が送信するＯＳＤデータに、表示優先度を示す情報をもたせる。本発明は、例えば、北米のＤＴＶとＳＴＢとを接続する規格であるＤＴＶ  Ｌｉｎｋ（ＣＥＡ−７７５）の一機能として、有効に組み込むことも可能である。
【００５６】
図２で例示する状態Ａとは、画像表示装置１の電源がＯＮでＯＳＤ表示設定（放送受信装置３側のＯＳＤデータを表示するか否かのユーザ設定）もＯＮとなっており、さらに放送受信装置３との１３９４インターフェースを介した接続が確立している状態を指す。ここで、接続が確立されている状態とは、画像表示装置１と方送受信装置３の間に、映像データの同期転送を行うＩｓｏｃｈｒｏｎｏｕｓコネクションと、ＯＳＤデータ等の非同期転送を行うＡｓｙｎｃｈｒｏｎｏｕｓコネクションが同時に確立され、リモコン装置２によって操作可能な状態を指す。状態Ａでは、画像表示装置１側のリモコン装置２によって、放送受信装置３のＯＳＤデータ等を表示させ、放送受信装置３内の各種設定操作を実行できる。この各種設定としては、ＥＰＧ（電子プログラムガイド）データをＯＳＤデータとして表示させて番組の録画予約を行ったり、放送受信装置３内に録画されるなどして記憶された番組コンテンツの選択視聴も可能である。なお、この状態Ａは、従来技術においても同様に採り得る状態である。なお、図２及び図４乃至図９では、放送受信装置３で画像表示装置１へ送信するＯＳＤデータは、基本的に放送受信装置３自らを制御するためのＯＳＤデータであるものとして説明する。
【００５７】
図４で例示する状態Ｂとは、画像表示装置１の電源がＯＮでＯＳＤ表示設定がＯＦＦとなっており、さらに放送受信装置３との１３９４インターフェースを介した接続が確立している状態を指す。状態Ｂでは、画像表示装置１側のリモコン装置２によって、放送受信装置３のＯＳＤデータ等を表示させようとしたとしても、ＯＳＤ表示設定がＯＦＦとなっているので、放送受信装置３から伝送されてきたＯＳＤデータは表示できず、放送受信装置３内の各種設定操作を実行できない。なお、この状態Ｂも、従来技術においても同様に採り得る状態である。
【００５８】
図５で例示する状態Ｃとは、画像表示装置１の電源がＯＮでＯＳＤ表示設定がＯＦＦとなっており、さらに放送受信装置３との１３９４インターフェースを介した接続が確立している状態において、緊急放送を放送受信装置３が受信した状態を指す。すなわち、状態Ｃは、状態Ｂにおいて、緊急放送などの受信がなされた状態である。
【００５９】
状態Ｃでは、状態Ｂと同様に、ＯＳＤ表示設定がＯＦＦとなっているのでリモコン装置２によって放送受信装置３から伝送されてきた通常のＯＳＤデータは表示できず、放送受信装置３内の各種設定操作を実行できない。しかしながら、緊急放送の受信やユーザ設定事項の時期の到来によって、画像表示装置１の画面表示部１４にＯＳＤ表示１０を強制的に実行できる。この状態Ｃは、従来技術においては達成できない状態である。
【００６０】
画像表示装置１と放送受信装置３がＩＥＥＥ１３９４で接続され、放送受信装置３のＯＳＤ画面をＩＥＥＥ１３９４経由で画像表示装置１に表示するシステムにおいて、放送受信装置３は緊急放送を受信した場合やユーザが設定した状態になった場合に、図３のＯＳＤデータ４のように、画像表示装置１に強制表示を促すフラグをＯＳＤデータに重畳して送信し、図４で例示した状態Ｂのように、画像表示装置１側のＯＳＤ表示設定がユーザによってＯＦＦにされていたとしても、図５で例示した状態Ｃのように状態を移行させることで、画像表示装置１に強制的にＯＳＤを表示させ、ユーザに画面に表示された操作を行なうように指示を促す。
【００６１】
このように、喩えユーザが画像表示装置１側でＯＳＤ表示設定をＯＦＦにしていたとしても、放送受信装置３がＯＳＤの強制表示フラグをセットして送ることにより、画像表示装置１はそのフラグを判別してＯＳＤ表示ＯＦＦに設定されている場合にもＯＳＤが表示される。
【００６２】
図６で例示する状態Ｄとは、画像表示装置１の電源がＯＮでＯＳＤ表示設定がＯＦＦ又はＯＮとなっており、さらに放送受信装置３との１３９４インターフェースを介した接続が確立していない状態を指す。状態Ｄでは、例えば、画像表示装置１内の放送受信手段や他の接続機器などの映像が画面表示部１４に表示されている。状態Ｄでは放送受信装置３とは接続が未確立であるため、放送受信装置３からは通常のＯＳＤデータが伝送されてこない。そのため、画像表示装置１側のリモコン装置２によって、放送受信装置３のＯＳＤデータ等を表示させようとしたとしても、ＯＳＤデータを表示できず、放送受信装置３内の各種設定操作を実行できない。この状態Ｄは、従来技術においても同様に採り得る状態である。
【００６３】
図７で例示する状態Ｅとは、画像表示装置１の電源がＯＮでＯＳＤ表示設定がＯＦＦ又はＯＮとなっており、さらに放送受信装置３との１３９４インターフェースを介した接続が確立していない状態において、緊急放送を放送受信装置３が受信した状態を指す。すなわち、状態Ｅは、状態Ｄにおいて、緊急放送などの受信がなされた状態である。
【００６４】
状態Ｅでは、状態Ｄと同様に、放送受信装置３とは接続が未確立であるため、放送受信装置３から通常のＯＳＤデータは伝送されてくることはなく、リモコン装置２によって表示や放送受信装置３内の各種設定操作を実行できない。しかしながら、緊急放送の受信やユーザ設定事項の時期の到来によって、画像表示装置１の画面表示部１４にＯＳＤ表示１０を強制的に実行できる。そのため、上述の各実施形態におけるＯＳＤデータ送信手段は、データ送信装置が画像表示装置との接続を確立していない場合、優先度設定手段で設定された表示優先度に応じて、接続の確立を行う手段を備えることが好ましい。例えば、映像データを送信する同期通信ではなく、コマンドや画像データ（ビットマップデータ）を送信するための非同期通信で接続、すなわちＡｓｙｎｃｈｒｏｎｏｕｓコネクション接続を実行するとよい。この状態Ｅは、従来技術においては達成できない状態である。
【００６５】
図６で例示した状態Ｄのように、ユーザが放送受信装置３ではなく画像表示装置１本体の映像を見ている場合には、基本的に画像表示装置１−放送受信装置３間でＯＳＤデータを転送するためのＡｓｙｎｃｈｒｏｎｏｕｓコネクションは接続されていない。この時、図７で例示したように、放送受信装置３がＯＳＤデータを強制表示する何らかの要因が発生した場合には、通常画像表示装置１で放送受信装置３の映像を見ている場合には画像表示装置１側から放送受信装置３側に張るコネクションを、放送受信装置３側から画像表示装置１に対して張ることにより、ＴＶ番組を視聴中であっても、ＯＳＤを表示させることが可能となる。
【００６６】
図８で例示する状態Ｆとは、画像表示装置１の電源がＯＦＦでＯＳＤ表示設定がＯＦＦ又はＯＮとなっており、従って放送受信装置３との１３９４インターフェースを介した接続も確立していない状態を指す。状態Ｆでは、放送受信装置３とは接続が未確立であるため、まず、画像表示装置１側のリモコン装置２によって画像表示装置１の電源をＯＮにしないと、何ら表示することや設定することもできない。この状態Ｆは、従来技術においても同様に採り得る状態である。
【００６７】
図９で例示する状態Ｇとは、画像表示装置１の電源がＯＦＦでＯＳＤ表示設定がＯＦＦ又はＯＮとなっており、従って放送受信装置３との１３９４インターフェースを介した接続が確立していない状態において、緊急放送を放送受信装置３が受信した状態を指す。すなわち、状態Ｇは、状態Ｆにおいて、緊急放送などの受信がなされた状態である。
【００６８】
状態Ｇでは、状態Ｆと同様に、放送受信装置３とは接続が未確立であるため、まず画像表示装置１側のリモコン装置２によって画像表示装置１の電源をＯＮにしない限りは、何ら表示することや設定することもできない。しかしながら、緊急放送の受信やユーザ設定事項の時期の到来によって、画像表示装置１の画面表示部１４にＯＳＤ表示１０を強制的に実行できる。このときの通信を確立する手段としては、例えば、放送受信装置３側から画像表示装置１側へ、ＰＯＷＥＲ  ＯＮコマンドを送信した後、Ａｓｙｎｃｈｒｏｎｏｕｓコネクション接続を実行するなどが挙げられる。この状態Ｇは、従来技術においては達成できない状態である。
【００６９】
図８で例示した状態Ｆのように、常に画像表示装置１の電源がＯＮになっているとは限らず、この場合、当然のこととして、画像表示装置１−放送受信装置３間ではＯＳＤデータを転送するためのＡｓｙｎｃｈｒｏｎｏｕｓコネクションは接続されていない。この場合、図９で例示するように、放送受信装置３はまず画像表示装置１の電源をＯＮするためのＰＯＷＥＲコマンドを送信し、画像表示装置１の電源がＯＮになったことを確認した後、画像表示装置１に対してＯＳＤを送信するためのＡｓｙｎｃｈｒｏｎｏｕｓコネクションを張ることにより、画像表示装置１の電源がＯＦＦになっていてもユーザに必要な情報を与えることが可能となる。このように、画像表示装置１が電源ＯＦＦになっている場合には自動的に画像表示装置１の電源を立ち上げてＯＳＤデータ送信用のＡｓｙｎｃｈｒｏｎｏｕｓコネクションを確立する。なお、本発明では、画像表示装置１が放送受信装置３側から電源を得ているか否かは関係なく、画像表示装置１が少なくとも待機状態であれば強制表示可能である。
【００７０】
以上、本発明によれば、緊急放送等を受けた場合にデータ送信装置が画像表示装置に優先的にＯＳＤを表示させる手段を設けることで、緊急放送の他、ユーザが設定した状態になった時に、データ送信装置自身のＯＳＤデータを、画像表示装置側で強制表示をさせることを可能にする。ここでは、上述のごとく、表示優先度が高い場合には、画像表示装置側のユーザ設定や操作に関わらず表示を行ない、喩え機器間がＡｓｙｎｃｈｒｏｎｏｕｓコネクション状態になくても、送出側からＡｓｙｎｃｈｒｏｎｏｕｓコネクションを張ることによりＯＳＤ表示可能状態にする。同様に、表示優先度が高い場合には、現在画像表示装置の電源がＯＦＦになっていても、送出側から電源をＯＮしてＡｓｙｎｃｈｒｏｎｏｕｓコネクションを張ることによりＯＳＤ表示可能状態にする。
【００７１】
また、本発明に係るＯＳＤデータ表示システムは、ＴＶ等の画像表示装置とＳＴＢ等の放送受信装置に限らず、携帯電話端末と基地局（携帯電話会社又は携帯サービス会社の基地局）との間であったり、インターネット接続されたパーソナルコンピュータ（ＰＣ）とインターネットサービスプロバイダ（ＩＳＰ）や他のサービス会社のサーバ装置との間で構築されるシステムであっても構わない。
【００７２】
画像表示装置を携帯電話に適用した場合には、データ送信装置はメールサーバや基地局などに具備され、携帯電話の契約者の情報（例えばネットワークの暗証番号やメールアドレス等）をサーバ上で更新するためのＯＳＤデータがそれに該当する。ＰＣとＩＳＰサーバ等のサーバとでなるシステムも同様であり、ＰＣのユーザ用のユーザ情報をＩＳＰサーバやそれに接続されたユーザ情報管理サーバ等に書き換えるときに、ＰＣの表示モニタでのＧＵＩ（グラフィカルユーザインターフェース）として用いられるＯＳＤデータとなる。
【００７３】
なお、データ送信装置で画像表示装置へ送信するＯＳＤデータは、基本的にデータ送信装置自らを制御するためのＯＳＤデータであることを前提として説明してきたが、送信するＯＳＤデータは、データ送信装置自らを制御するためのＯＳＤデータである必要はない。また、送信するデータはＯＳＤデータでなくても、送信されてきたデータをその表示優先度を判定して強制表示するような機能をもたせることで、本発明と同様の効果が得られる。
【図面の簡単な説明】
【００７４】
【図１】本発明の一実施形態に係るＯＳＤデータ表示システムの一構成例を示すブロック図である。
【図２】図１のＯＳＤデータ表示システムが状態Ａである場合の概要を説明するための図である。
【図３】図１及び図２のシステムで用いられるＯＳＤデータの一例を示す図である。
【図４】図１のＯＳＤデータ表示システムが状態Ｂである場合の概要を説明するための図である。
【図５】図１のＯＳＤデータ表示システムが状態Ｃである場合の概要を説明するための図である。
【図６】図１のＯＳＤデータ表示システムが状態Ｄである場合の概要を説明するための図である。
【図７】図１のＯＳＤデータ表示システムが状態Ｅである場合の概要を説明するための図である。
【図８】図１のＯＳＤデータ表示システムが状態Ｆである場合の概要を説明するための図である。
【図９】図１のＯＳＤデータ表示システムが状態Ｇである場合の概要を説明するための図である。
【符号の説明】
【００７５】
１…画像表示装置、２…リモコン装置、３…放送受信装置、４…ＯＳＤデータ、１０…ＯＳＤ表示、１１…映像データ生成部、１２…映像データ表示部、１３…映像データ蓄積部、１４…画面表示部、１５…表示データ結合部、１６…データ分離部、１７，３５…通信制御部、１８，３４…ネットワークＩ／Ｆ、１９…ＯＳＤデータ表示部、２０…ＯＳＤデータ蓄積部、２１…ＯＳＤ表示優先度判定部、２２，３８…ＯＳＤデータ生成部、２３，３１…ユーザ操作判定部、２４…ＯＳＤ表示設定記憶部、２５…ＯＳＤ表示設定部、２６…ユーザＩ／Ｆ、３２…ユーザ設定記憶部、３３…受信データ分離部、３６…送信データ結合部、３７…ＯＳＤ表示優先度設定部、３９…放送受信部、４０…情報部、４１…データ部、４２…フラグ。
【図１】
2007129599.tif 000003
【図２】
2007129599.tif 000004
【図３】
2007129599.tif 000005
【図４】
2007129599.tif 000006
【図５】
2007129599.tif 000007
【図６】
2007129599.tif 000008
【図７】
2007129599.tif 000009
【図８】
2007129599.tif 000010
【図９】
2007129599.tif 000011